Podtech/llm-jp-corpus-v4-ja_patent huggingface dataset:
(57)【要約】      （修正有）【課題】食べやすい麺類を提供する。【解決手段】麺に節もしくは結び目もしくは緩急をつける。【選択図】図４
0003170150.tif 000002
【実用新案登録請求の範囲】
【請求項１】
麺に節を加えたもの
【請求項２】
麺に結び目を加えたもの
【請求項３】
麺の太さに緩急を加えたもの（細くなる部分と太くなる部分）
【考案の詳細な説明】
【技術分野】
【０００１】本発明は、うどん、ラーメン等、麺類を食べる時に、麺が滑ることなく口に運ぶことができるようになるための、麺に加工を加える発明である。一般人に対しても当然のことながら、高齢化が進む状況下において、介護食にも有用な発明である。
【背景技術】
【０００２】麺類を食べる時に、滑ることにより食べにくい、汁が跳ねるという難点があった。特に老人にとっては、手元が不安定になることにより口に運ぶとこが難しかった。箸にすべり止めを付けた商品は見ることができるが、本件は、麺自体に加工を加えることによって、箸、フォークの種類を選ぶ事無く麺をくちに運ぶことができる。
【考案の概要】
【考案が解決しようとする課題】
【０００３】麺類を食べる時に、麺が滑ることにより食べにくいという難点があった。本発明により、その課題を解決しようとするものである。
【課題を解決するための手段】麺の途中に、節を作るもしくは結び目を作るもしくは麺の太さに緩急をつけることにより、箸、フォーク等に引っ掛かるように麺を加工する。
【考案の効果】
【０００４】上記の通り、麺に加工をすることにより、箸、フォーク等に麺が引っかかりやすくなり、麺を口に運び易くなる。
【図面の簡単な説明】
【０００５】
【図１】麺の節を示した平面図である
【図２】麺の結び目を示した全体図である。
【図３】麺に太さの緩急を付けた図である。
【図４】麺を箸、フォークですくう時の図である。
【考案を実施するための形態】
【実施例１】
【０００６】図４を用いて、本件の活用方法を説明する。箸やフォークで麺をすくおうとする時、麺に加工した節もしくは結び目もしくは太さの緩急によって麺が引っかかり、そのまま口に運ぶことができる。
【図１】
0003170150.tif 000003
【図２】
0003170150.tif 000004
【図３】
0003170150.tif 000005
【図４】
0003170150.tif 000006
【手続補正書】
【提出日】平成23年4月13日(2011.4.13)
【手続補正１】
【補正対象書類名】実用新案登録請求の範囲
【補正対象項目名】全文
【補正方法】変更
【補正の内容】
【実用新案登録請求の範囲】
【請求項１】
麺に節を加えた形状
【請求項２】
麺に結び目を加えた形状
【請求項３】
麺の太さに緩急を加えた形状
【手続補正書】
【提出日】平成23年6月15日(2011.6.15)
【手続補正１】
【補正対象書類名】実用新案登録請求の範囲
【補正対象項目名】全文
【補正方法】変更
【補正の内容】
【実用新案登録請求の範囲】
【請求項１】
麺の途中に節を作ったことを特徴とする麺類。
【請求項２】
麺の途中に結び目を作ったことを特徴とする麺類。
【請求項３】
麺の太さに緩急をつけたことを特徴とする麺類。
(57)【要約】      （修正有）【課題】根掛りしても引き揚げが容易で、繰り返し復元でき、分解可能な錨を提供する。【解決手段】シャンク部と錨の爪部分２とを備え、錨の爪部分２は金属板を用い、付根からそれぞれの爪の先端に向け幅が細くなる形状とし、錨の爪部分２にシャンク部を差込みストッパー５で取り付ける。【選択図】図１
0003170146.tif 000002
【実用新案登録請求の範囲】
【請求項１】
錨の爪部分の付根からそれぞれの爪の先端に向け細くなる形状をしており、爪中央部分から曲がりやすくなっている。また爪部分が伸びた状態から折り曲げる際、毎回ほぼ同じ角度での形成が可能であるところを特徴とする根掛り解消錨。加えて複数の部品に容易に分解が可能な錨。
【考案の詳細な説明】
【技術分野】
【０００１】  本考案は、小型船舶用の錨に関する考案である。
【背景技術】
【０００２】  従来の錨では、錨の爪に柔軟性がなく変形しないために錨を引き揚げ時に岩礁等に根掛りした場合、錨回収が困難であった。また、一体型のもので分解が出来なかった。
【考案の開示】
【考案が解決しようとする課題】
【０００３】  従来の錨は、爪部分が中央部から先端に向けて同じ大きさで強靭に製作されていたため、水中ならびに海中での使用時に根掛りをした場合、回収することが困難であった。更に、従来の錨は、爪部とシャンク部が一体型の錨でパーツごとに分解することが出来ず、収納時に錨の格納場所を確保することが難しかった。
【課題を解決するための手段】
【０００４】  そこで、錨の爪部分を板状として、爪部分の付根からそれぞれの爪の先端に向け細くなる形状とし、爪の先端に向け断面積を減じる構造にすることで、一定の力を加わえると爪が変形（伸びる）するようにした。また、爪部分が変形した状態から折り曲げ、元の形状に復元する際、毎回ほぼ同じ角度、状態に復元可能であるようにした（図１）。更に、その錨を複数の部品に容易に分解可能な錨を考案した（図２）。
【考案を実施するための形態】
【０００５】  本考案に係る根掛り解消コンパクト収納錨は、図１に示すように錨の爪部分２を板状とし、図１に示すように３Ａの幅より３Ｂの幅を広くすることで、根掛りした際にロープＲを数回強く引くことより、爪部分３付近で爪が伸び根掛りを解消できるようにする。
【０００６】  また、収納時は船内等に場所を取らないで保管できるようにストッパー５とシャックル４を外すことにより、爪部分２とシャンク１とを取り外せるようにする。
【考案の効果】
【０００７】  よって、本考案の根掛り解消コンパクト収納錨により、水中ならびに海中で根掛りした際に、数回強くロープを引く事により爪部分が伸び、根掛りが解消して、容易に水上への引き揚げが可能となる（図３）。また、付根からそれぞれの先端に向け細くなる形状により、適度な強度を持ち中央付近から曲がりやすくしたため、何度でも繰り返し復元でき、使用可能となる。また爪部とシャンク部とが容易に分解できるため、格納場所も最小限に出来るようになった（図２）。更には、爪部分を板状にしたことにより砂地、泥地でも把駐力が上昇した。
【図面の簡単な説明】
【０００８】
【図１】  本考案に係る根掛り解消コンパクト収納錨の使用時の図面である。
【図２】  本考案に係る根掛り解消コンパクト収納錨の分解時の平面図である。
【図３】  本考案に係る根掛り解消コンパクト収納錨の爪部分が伸びた状態の図面である。
【図４】  従来の錨である。（一般的）
【図５】  従来の錨である。（収納型）
【符号の説明】
【０００９】  １      シャンク（錨幹）
２      爪部分を横から見た図（側面図）
３      錨部分を正面から見た図（正面図）
４      シャックル（留め具）
５      ストッパー（ネジ）
Ｒ      ロープ
【図１】
0003170146.tif 000003
【図２】
0003170146.tif 000004
【図３】
0003170146.tif 000005
【図４】
0003170146.tif 000006
【図５】
0003170146.tif 000007
【手続補正書】
【提出日】平成22年12月2日(2010.12.2)
【手続補正１】
【補正対象書類名】実用新案登録請求の範囲
【補正対象項目名】請求項１
【補正方法】変更
【補正の内容】
【請求項１】
錨の爪部分の付根からそれぞれの爪の先端に向け細くなる形状として、
１  爪中央部分から曲がりやすく
２  爪部分が伸びた状態から折り曲げる際、毎回ほぼ同じ角度での形成が可能
３  複数の部品に容易に分解が可能
以上の構成からなることを特徴とする根掛り解消錨。
【手続補正書】
【提出日】平成23年3月10日(2011.3.10)
【手続補正１】
【補正対象書類名】実用新案登録請求の範囲
【補正対象項目名】請求項１
【補正方法】変更
【補正の内容】
【請求項１】
錨の爪部分２に金属板を用い、付根からそれぞれの爪の先端に向け幅が細くなる形状とし、先端に向かうに従い適度に強度を下げて曲がりやすくし、根掛かりした時にロープＲを強く引くことにより爪部分が伸びる構造とし、復元には金属の特性を利用して製作時に曲げ伸ばしを行い、同じ位置で伸び曲げが可能とし、また錨爪部分２とシャンク部１を容易に分解が出来る構造として、格納場所も最少にした根掛り解消コンパクト収納錨。
【手続補正書】
【提出日】平成23年6月15日(2011.6.15)
【手続補正１】
【補正対象書類名】実用新案登録請求の範囲
【補正対象項目名】請求項１
【補正方法】変更
【補正の内容】
【請求項１】
シャンク部１と錨の爪部分２とを備え、錨の爪部分２は金属板を用い、付根からそれぞれの爪の先端に向け幅が細くなる形状とし、錨の爪部分２にシャンク部１を差込みストッパー５で取り付けたことを特徴とする、根掛り解消コンパクト収納錨。
(57)【要約】      （修正有）【課題】何度でも使用できる携帯用顔の脂取りを提供する。【解決手段】直径約１．５ｃｍ、長さ約４ｃｍの円筒形であって、横に置いて左右を挟むようにＵ字型の持ち手をつける。【選択図】図１
0003170145.tif 000002
【実用新案登録請求の範囲】
【請求項１】
直径５ｃｍほどで全体的にぶつぶつと小さな突起がついたスーパーボールでたまたま顔面上をコロコロと転がしたら顔に浮いていた油がとれた事を発見した事によっていつでもどこでも手軽に使用できる携帯用顔の油とり用具を提供する事を目的とする
【考案の詳細な説明】
【技術分野】
【０００１】  この考案はぶつぶつと小さな突起が全体的についたポリブタジエン樹脂のスーパーボールでたまたま顔面上をころころと転がしたら顔に浮いた油がとれるという発見に関するものである
【背景技術】
【０００２】  従来出先などで顔に油が浮いた時は油とり紙を使用していたがそんな時近くにごみ箱がなくてこまる事があったこの考案は油とり紙を使用する事もなくエコにも繋がると考えられる
【考案の開示】
【考案が解決しようとする課題】
【０００３】  これまで何度でも使用できる油とり用具がなかったこの考案は何度でも使用でき油とり紙を買う必要もなくなり経済的にも良いと考える
【課題を解決するための手段】
【０００４】  スーパーボールは球体なので球体のままでは使用しにくく同時に落としやすいので手軽に携帯できて手軽に使用できるデザインにする必要がある
【考案の効果】
【０００５】  従来の用に顔に油が浮いた時に使用していた油とり紙を買う必要がなくなりこの考案の油とり用具を使用する事によって顔のマッサージ効果もあると考える
【考案を実施するための最良の形態】
【０００６】  いつでもどこでも使用できるように持ちやすくコロコロと転がせる様なデザインにして大きさも化粧ポーチに入れられる様に縦横５ｃｍ以内が望ましいと考える
【図面の簡単な説明】
【０００７】
【図１】コロコロと転がせる所が大と小があるが小の方は小鼻周り専用である
【図１】
0003170145.tif 000003
【手続補正書】
【提出日】平成22年11月16日(2010.11.16)
【手続補正２】
【補正対象書類名】実用新案登録請求の範囲
【補正対象項目名】全文
【補正方法】変更
【補正の内容】
【実用新案登録請求の範囲】
【請求項１】
直径５ｃｍほどで全体的にブツブツと小さな突起がついたスーパ−ボールでたまたま顔面上をコロコロと転がしたら顔に浮いていた油が取れる事を発見したのだが球体のままだと落としやすく使用しにくいのと顔面に接する面も少ないのでそれを解決するためには円筒形「直径１，５ｃｍから役２ｃｍ長さ役４ｃｍ」にしてローラーの様にコロコロと転がせる様なデザインにする事でいつでもどこでも手軽に使用できる携帯用顔の油とり
【手続補正書】
【提出日】平成23年3月8日(2011.3.8)
【手続補正２】
【補正対象書類名】実用新案登録請求の範囲
【補正対象項目名】全文
【補正方法】変更
【補正の内容】
【実用新案登録請求の範囲】
【請求項１】
直径５ｃｍほどで全体的にブツブツと小さな突起がついたスーパーボールでたまたま顔面上をコロコロと転がしたら顔に浮いていた油が取れる事を発見したのだが球体のままだと落としやすく使用しにくいのと顔面に接する面も少ないのでローラーにしてＵ字型の物で左右を挟むように持ち手をつけた携帯用顔の油とり
【手続補正書】
【提出日】平成23年6月20日(2011.6.20)
【手続補正１】
【補正対象書類名】実用新案登録請求の範囲
【補正対象項目名】全文
【補正方法】変更
【補正の内容】
【実用新案登録請求の範囲】
【請求項１】
スーパーボールで顔に浮いた油が取れる事を発見したのだが手軽に使用できる用に球体ではなく円筒形「直径約１．５ｃｍ長さ約４ｃｍ」にして縦に置くのではなくコロコロと転がるように横に置いて左右をＵ字型の物で挟むように持ち手をつけた携帯用顔の脂取り
(57)【要約】      （修正有）【課題】太陽光発電パネルに降り積もる雪や灰を防ぐ回転式太陽光発電パネルを提供する。【解決手段】太陽光発電パネルを垂直近似状態にする事で地上に落下する雪や灰は発電パネル表面に降り積もる事は無く、降り止むと発電パネルを太陽に向け即座に発電できる。相対する２本支柱上部にヒンジを用い、太陽光発電パネルが太陽に向いた状態から地上に対して垂直近似状態と成る様に回転可能とし、垂直近似状態時に最も高い位置となる側面全体に防積雪、防積灰カバーを付けて解決する。【選択図】図４
0003170184.tif 000002
【実用新案登録請求の範囲】
【請求項１】
相対する２本の支柱上部にヒンジを用い、太陽光発電パネルが太陽に向いた状態から地上に対して垂直近似状態と成る様にヒンジを支点に回転可能とし、垂直近似状態時に最も高い位置となる側面全体に防積雪、防積灰用カバーをしたことを特徴とする回転式太陽光発電パネル。
【請求項２】
支柱を奇数、複数本にした請求項１記載の回転式太陽光発電パネル。
【考案の詳細な説明】
【技術分野】
【０００１】  本考案は、太陽光発電パネルに降り積もる雪や灰を防ぐ回転式太陽光発電パネルに関する。
【背景技術】
【０００２】  従来の太陽光発電パネルは常時太陽光を受けて発電できる利点がある。
【先行技術文献】
【０００３】
【特許文献１】特開２００８−２１６８３
【特許文献２】特開２０１１−６６０３０
【考案の概要】
【考案が解決しようとする課題】
【０００４】  しかしながら、太陽光発電パネルは雪や灰が降り積もると発電できない欠点がある。
【課題を解決するための手段】
【０００５】  本考案は、相対する２本支柱上部にヒンジを用い、太陽光発電パネルが太陽に向いた状態から地上に対して垂直近似状態と成る様に回転可能とし、垂直近似状態時に最も高い位置となる側面全体に防積雪、防積灰カバーを付けて上記課題を解決するものである。
【考案の効果】
【０００６】  本考案は、降雪や降灰情報を入手し、太陽に向いていた太陽光発電パネルを地上に対して垂直近似状態にする事で、最も高い位置となる側面全面に付けた防積雪、防積灰カバーを雪や灰は滑りながら重力の法則により上空から地上に落下して行く。未然に防ぐことは降り止んでから発電までの時間ロスを小さく出来る利点があり、また発電しない夜間は不測の事態に備えて垂直近似状態にしておく事で大きな効果が得られる。支柱とヒンジからなる単純構造であり、メンテナンスも容易にできる。特開２００８−２１６８３で示す装置はワイパーや振動及び仰角０度以上で対処するのであるが、微粒子の灰は雨と混じると塗り付いて除去出来ないし、凍り付いた雪も除去し難い。コンピューター制御であり複雑な構造の上に降り積もって発電能力が落ちてから作動する仕組みである。灰は硫黄分を含み雨に濡れると酸性物質となり装置全体に悪影響を与えるので早急に清掃することが重要である。氷雪も同様に早急に清掃できないと発電できない状態がつづく。このように、メンテナンスも装置も高コストであり一般的でない。特開２０１１−６６０３０は太陽光追従装置であり２本の支柱とヒンジで回転するのであるが、追従した角度では落下してくる雪や灰を防げない。この装置は雪や灰に対する備えが無く降り積もり後のメンテナンス処理に費用がかかる。以上のようなことから、発電パネルを長期的に維持管理するには、天気情報を知り重力の法則に沿った垂直近似状態に早急に出来たうえに、地上から容易に清掃できることが必要である。雪や灰が降る地域でも普及するものと考える。
【考案を実施するための最良の形態】
【０００７】  図１に示されるように、相対する支柱２にヒンジ３を用いて防積雪、防積灰カバー４付き太陽光パネル１を取り付けてあり、太陽６の光７が射している。【０００８】  図２に示されるように、相対する支柱２にヒンジ３を用いて防積雪、防積灰カバー４付き太陽光パネル１が取り付けてあり、雪や灰８が降り積もる９様子を示している。【０００９】  図３、４に示されるように、地上５に対して防積雪、防積灰カバー４付き太陽光パネル１が垂直近似状態であり、上空から落下する雪や灰８が防積雪、防積灰カバー４や発電パネル１を滑り落ちる。【００１０】  図５に示されるように、防積雪、防積灰カバー４付き太陽光パネル１が垂直近似状態であり、地上５から人１０が発電パネル１の清掃をしている。
【図面の簡単な説明】
【００１１】
【図１】太陽光と正面図である。
【図２】雪や灰の降り積もった正面図である。
【図３】太陽光発電パネルを垂直状態にした側面図である。
【図４】太陽光発電パネルを垂直状態にした立体図である。
【図５】太陽光発電パネルを垂直状態にして清掃している図である。
【符号の説明】
【００１２】        １・・・・太陽光発電パネル
２・・・・支柱
３・・・・ヒンジ
４・・・・防積雪、防積灰カバー
５・・・・地上
６・・・・太陽
７・・・・太陽光
８・・・・雪、灰
９・・・・積雪、積灰
１０・・・人物
【図１】
0003170184.tif 000003
【図２】
0003170184.tif 000004
【図３】
0003170184.tif 000005
【図４】
0003170184.tif 000006
【図５】
0003170184.tif 000007
(57)【要約】      （修正有）【課題】衣類のポケットを使い、円滑にスマートフォンを保持、携帯できるスマートフォンケースを提供する。【解決手段】スマートフォンケースにクリップを付け、クリップの一部をスマートフォンケースより突出させ、そこからポケットなどへ差し込むことで衣類などをクリップで挟み、スマートフォンを保持する。【選択図】図３
0003170182.tif 000002
【実用新案登録請求の範囲】
【請求項１】
スマートフォンケースにクリップを付けたことを特徴とする差し込み型クリップ付きスマートフォンケース。
【請求項２】
前記クリップは、一部をスマートフォンケースより突出させたことを特徴とする請求項１記載の差し込み型クリップ付きスマートフォンケース。
【請求項３】
前記クリップは、スマートフォンケースより突出させた一部に凹凸を付けないことを特徴とする請求項１記載の差し込み型クリップ付きスマートフォンケース。
【考案の詳細な説明】
【技術分野】
【０００１】  この考案は、衣類のポケットなどへ差し込んで挟めるクリップを付けたスマートフォンケースに関するものである。
【背景技術】
【０００２】  従来、スマートフォンケースは、落下衝撃などからスマートフォンを保護するためのものである。
【考案の概要】
【考案が解決しようとする課題】
【０００３】  形状上、スマートフォンは衣類のポケットなどへの収納が困難である。従来のスマートフォンケースはこの問題点を解決できていなかった。この考案は、衣類のポケットなどを使い、円滑にスマートフォンを保持し、携帯できることを課題とする。
【課題を解決するための手段】
【０００４】  以上の課題を解決するため、第一考案はスマートフォンケースにクリップを付ける。
第二考案は、クリップの一部をスマートフォンケースより突出させ、その部分からポケットなどへ差し込むことで衣類などを挟み、スマートフォンを保持し、携帯できるようにする。第三考案は、スマートフォンケースより突出したクリップの一部に凹凸を付けないことで、衣類のポケットなどへの差し込みを円滑にする。
【考案の効果】
【０００５】  形状上、衣類のポケットなどへの収納が困難なスマートフォンの代りにクリップを収納することで、円滑にスマートフォンを保持し、携帯できる。また、クリップの一部がスマートフォンケースより突出し凹凸がないことから、衣類のポケットなどへ円滑に差し込み、それを挟むことを可能にする。
【図面の簡単な説明】
【０００６】
【図１】この考案の斜視図
【図２】この考案の背面図
【図３】この考案の側面図
【符号の説明】
【０００７】  １  スマートフォン
２  スマートフォンケース
３  クリップの一部（スマートフォンケースより突出した部分）
４  クリップ
【図１】
0003170182.tif 000003
【図２】
0003170182.tif 000004
【図３】
0003170182.tif 000005
(57)【要約】      （修正有）【課題】パッケージで表現しようとするキャラクター性や建造物の持つ特徴を簡単に表現することが可能な紙容器を提供する。【解決手段】容器１の前後にキャラクターや建造物などのアウトラインに沿ってカットした板紙（メンコ）２、３を貼り付ける。これにより、簡単にキャラクターや建造物の特徴を表したパッケージを作製することが出来る。各パーツを別々に生産することにより、板紙を変えることができ、耐水性や耐油性、食品対応容器などを作ることが出来る。【選択図】図１
0003170163.tif 000002
【実用新案登録請求の範囲】
【請求項１】
包装用容器において、パッケージで表現しようとするキャラクター性や建造物の持つ特徴を簡単に表現することが可能な紙容器。
【考案の詳細な説明】
【技術分野】
【０００１】  本考案はパッケージで表現しようとするキャラクター性や建造物の持つ特徴を簡単に表現する事が可能な紙容器に関する。
【背景技術】
【０００２】  従来のパッケージは、平面にデザインした板紙をカットし、折り紙のように折って組み立てられる。折り紙のように折ることで、パッケージは直線の組み合わせでの表現となる。
【考案の概要】
【考案が解決しようとする課題】
【０００３】  折り紙のように折ることで表現していた物では、曲線を表現する為に無数の直線で表現することとなり、表現に限界がある。
【課題を解決するための手段】
【０００４】  容器の前後にキャラクターや建造物などのアウトラインに沿ってカットした板紙（以下メンコという）を貼り付ける。
【考案の効果】
【０００５】  これにより、簡単にキャラクターや建造物の特徴を表したパッケージを作製することが出来る。各パーツを別々に生産することにより、板紙を変えることができ、耐水性や耐油性、食品対応容器などを作ることが出来る。
【図面の簡単な説明】
【０００６】
【図１】箱の構成図
【図２】箱の組み立て例
【符号の説明】
【０００７】１  容器
２  容器の表面に貼るメンコ
３  容器の裏面に貼るメンコ
【図１】
0003170163.tif 000003
【図２】
0003170163.tif 000004
【手続補正書】
【提出日】平成23年6月13日(2011.6.13)
【手続補正１】
【補正対象書類名】実用新案登録請求の範囲
【補正対象項目名】全文
【補正方法】変更
【補正の内容】
【実用新案登録請求の範囲】
【請求項１】
紙からなる包装用容器において、商品を入れる容器部分とキャラクターや建造物などのアウトラインに沿ってカットした板紙部分（メンコ）に分かれ、容器部分の前後の面それぞれにその板紙部分（メンコ）が貼り付けられた、キャラクターや建造物などの形の紙容器。
(57)【要約】      （修正有）【課題】健康状態の維持・増進と洗浄効果等による、生活環境及び健康状態に障害の有る状態での皮膚の発汗を即し老廃物の除去による洗浄、全身洗浄浄化効果を高めるサウナバックを提供する。【解決手段】サウナバックは漏水防止型の寝袋１と、この中にペットボトル設置口５から供給されたミネラル水＋香料成分を元にこれらの成分を含有する蒸気を寝袋１と蒸気発生装置２を直結するパイプ４を介して供給する蒸気供給装置とからなる。サウナバック、寝袋の中にはマットと枕を備え、さらに、寝袋開閉のためにチャック３を設ける。【選択図】図１
0003170170.tif 000002
【実用新案登録請求の範囲】
【請求項１】
漏水防止型の寝袋と、この中にミネラル水や香料成分を含有する蒸気を供給する蒸気供給装置からなり、前記寝袋の中にはマットと枕が備えられるサウナバック。
【考案の詳細な説明】
【技術分野】
【０００１】本考案はサウナ浴槽を障害のある人でも簡易洗浄効果のある入浴装置で寝ながら使用できるサウナバックに関するものである。
【背景技術】
【０００２】サウナ浴は健康な肢体を自発的に動かせる人の使用が中心で、高温度による発汗を伴う現象を捉え固定施設での立位及び座位の使用を中心としたものであった。
【考案の概要】
【考案が解消しようとする課題】
【０００３】本考案は洗浄効果により皮膚の発汗を促し老廃物の除去による洗浄、全身洗浄浄化効果を高めることができるサウナバックを提供することを課題とする。
【課題を解消しようとするための手段】
【０００４】本考案によるサウナバックは、漏水防止型の寝袋と、この中にミネラル水や香料成分を含有する蒸気を供給する蒸気供給装置とからなり、寝袋の中にはマットと枕が備えられているものである。
【考案の効果】
【０００５】本考案のミストサウナバックを使用する事によって手軽に温泉の効果を得ることができる。水圧による身体への負担が少なくなる。温泉成分の水やハーブ水を用いて皮膚の発汗洗浄、全身洗浄と共に癒しの効果を寝たきりの要介護者にあっても使用の場所が際限なく便利である。
分解・持ち運び・設置が安易で収納がし易く片付けも楽であり給排水の問題も安易で役立つ。
【図面の簡単な説明】
【０００６】
【図１】本考案のサウナバックの実施例を示す断面図である。
【考案を実施する為の最良の形態】
【０００７】手軽に入手できるペットボトル飲料水をそのまま使用し資材の使用が手軽に行える。器材の形状を防水性保温及のある資材を使用・アルミ保温シート・シリコンゴム等の素材を使用して製作する。使用する場所と使用する人の症状や健康状態、環境特徴を聞き身長・体重・体型を考慮できるオーダーメード製作を行える事となる。使用後の清掃に関しても安易である。
【実施例】
【０００８】以下、添付図面に従って一実施例を説明する。
１は寝袋である。２は加湿恩風を送る蒸気発生装置である。３は寝袋開閉の為に設けられたチャックである。４は寝袋と蒸気発生装置を直結するパイプである５はミネラル水に香料の入ったペットボトルを設置するペットボトル設置口である。６寝袋の中には枕付きマットがセットされる
【産業上の利用の可能性】
【０００９】簡易施設・入浴設備の無いあるいは少ない環境で一般個人の生活設備として、衛生管理の一環として、使用できる。
【符号の説明】
【００１０】１    寝袋
２    蒸気発生装置
３    チャック
４    パイプ
５    ペットボトル設置口
６    マット
【図１】
0003170170.tif 000003
(57)【要約】      （修正有）【課題】物流マテハン機器から保管商品の落下を防ぐ耐震用ストッパー及びマットを提供する。【解決手段】耐震用ストッパー及びマットは、塩化ビニル樹脂からなる。コの字型の耐震ストッパー又は、正方形のマット上に５ｍｍ円状の突起物を９ｃｍ間隔で付着させた耐震マットを、物流マテハン機器重量ラックのビーム又はサブビーム上に設置する。【選択図】図１
0003170164.tif 000002
【実用新案登録請求の範囲】
【請求項１】
物流マテハン機器重量ラックのビーム上に耐震性クッションストッパーを設置（１パレット毎４隅または６か所）して、そこに商品（重量物）を積んだパレットを保管して（ラップ等で商品は固定する）ビーム（鉄）とパレット（樹脂・木）の滑り防止をする。
【請求項２】
物流マテハン機器重量ラックのサブビーム上に耐震性クッションストッパーを設置して、そこに商品（重量物）を積んだパレットを保管して（ラップ等で商品は固定する）サブビーム（鉄）とパレット（樹脂・木）の滑り防止をする。
【請求項３】
物流マテハン機器ネステナー上に耐震性クッションストッパーを設置して、そこに商品（重量物）を積んだパレットを保管して（ラップ等で商品は固定する）ネステナー（鉄）とパレット（樹脂・木）の滑り防止をする。
【請求項４】
あらゆる物流管理上において、商品（重量物）を積んだパレットを保管（ラップ等で商品は固定する）する場合、耐震クッションマットを敷きその上に商品（重量物）をつんだパレットを置くことにより接地面（床等）とパレット（樹脂・木）の滑り防止をする。
【請求項５】
素材に国内再生塩化ビニル樹脂（ＰＶＣ）１００％エコ原料を使用する。ゴム製品と違い、難燃性で自己消火性を持っており容易に着火せず、酸性、アルカリ性、アルコール類などの薬品に強い耐久性を持っている。
【考案の詳細な説明】
【技術分野】
【０００１】  本考案は物流マテハン機器・重量物用保管棚に、耐震用クッションストッパーを設けた物流棚に関するものである。
【背景技術】
【０００２】  物流センターでのパレット単位の保管の際、マテハン機器と保管商品の安全性が保てなかった。
【先行技術文献】
【特許文献】
【０００３】
【特許文献１】特開平１１−１４１６１５
【特許文献２】特許公開２００４−２１０５２６
【非特許文献】
【０００４】
【非特許文献１】
【非特許文献２】
【考案の概要】
【考案が解決しようとする課題】
【０００５】  物流マテハン機器から保管商品の落下を防ぐ
【課題を解決するための手段】
【０００６】  耐震用クッションストッパー（耐性塩化ビニル硬質タイプ）を重量物用保管棚のビーム及びサブビームに装着する。又ネステナ機器及び商品を耐震用クッションマット（耐性塩化ビニル軟質タイプ）に敷き装着する。
【考案の効果】
【０００７】  積載物の重量により、耐震用クッションストッパーが沈み、積載物をホールドする事により荷物の落下を防ぐ。
【図面の簡単な説明】
【０００８】
【図１】重量物用保管棚使用例及びビーム・サブビームへの耐震クッションストパー取り付け断面図。
【図２】ネステナー使用例及び耐震クッションマット正面図と断面図。
【考案を実施するための形態】
【実施例】
【０００９】重量物用保管棚のビーム部分に耐震クッションストッパーをはめ込みボルトで固定する。サブビーム部分に耐震用クッションストパーをはめ込みする。
ネステナー使用時に、耐震クッションマットを敷く。パレット保管する場合に、耐震クッションマットを敷く。
【符号の説明】
【００１０】（図１）Ａ  ビーム本体
Ｂ  ボルト
Ｃ  ワッシャー
Ｄ  ナット
Ｅ  耐震クッションストッパー本体
（図２）Ａ  ネステナー
Ｂ  パレット及び商品
Ｃ  耐震クッションマット本体
【図１】
0003170164.tif 000003
【図２】
0003170164.tif 000004
【手続補正書】
【提出日】平成23年6月16日(2011.6.16)
【手続補正１】
【補正対象書類名】実用新案登録請求の範囲
【補正対象項目名】全文
【補正方法】変更
【補正の内容】
【実用新案登録請求の範囲】
【請求項１】
物流マテハン機器重量ラックのビーム上に耐震ストッパーを設置して、そこに商品を積んだパレットを保管してビームとパレットの滑り防止をすることを特徴とするコの字型の耐震ストッパー。
【請求項２】
物流マテハン機器重量ラックのサブビーム上に耐震性マットを設置して、そこに商品を積んだパレットを保管して鉄製サブビームと樹脂製又は木製パレットの滑り防止をすることを特徴とする正方形のマット上に５ｍｍ円状の突起物を９ｃｍ間隔で付着させた耐震用マット。
【請求項３】
塩化ビニル樹脂（ＰＶＣ）１００％を材料とする請求項１記載の耐震ストッパー又は請求項２記載の耐震性マット。
(57)【要約】      （修正有）【課題】内容物を他の容器に移す時、注出口キャップの先端が後方から見え、内容物が漏洩することを防止する紙パック容器を提供する。【解決手段】注出口キャップの上部にある突起した容器本体の紙パックの平面板にＵ字型切り込みを入れる。【選択図】図１
0003170168.tif 000002
【実用新案登録請求の範囲】
【請求項１】
注出口キャップ付き紙パック容器は一般に広く製造・販売されております。しかしこの容器は内容物を他の容器に移すとき、注出口キャップの先端が見えず漏洩し、大変使用勝手が悪い。従って、その注出口キャップ上部にある突起した容器本体の紙パックの平面板にＵ字型切り込みを入れる事により、注出口キャップの先端を見やすくし、漏洩を防止し、安心して内容物を他の容器に移すことができるための考案である。
【考案の詳細な説明】
【技術分野】
【０００１】本考案は、注出口キャップ付紙パック容器から内容物を注出する時に漏洩防止するための形状容器である。
【背景技術】
【０００２】従来からこのような形状の容器は開発されていなかった。
【考案の概要】
【考案が解決しようとする課題】
【０００３】従来の注出口キャップ付紙パック容器は、内容物を他の容器に移す時注出口キャップの先端が見えず、内容物が漏洩し、大変不便を経験して来た。これは注出口が短く、その上部にある突起した２０ｍｍ程度の紙パックの平面板が、邪魔しているためである。
【課題を解決するための手段】
【０００４】注出口キャップ付紙パック容器は一般に広く製造、販売されている。しかしこの容器は内容物を他の容器に移すとき、注出口キャップ先端が見えず内容物が漏洩し、大変不便である。従って、その注出口キャップの上部にＵ字型切り込みを入れることにより注出口キャップ先端を見やすくし内容物を漏洩防止し安心して他の容器に移すことができるための考案である。
【考案の効果】
【０００５】従来の注出口キャップ付紙パック容器は何ら利用者に配慮し利便性のある容器ではなく、大変不便な使い勝手の悪い容器であった。特に内容物が少なくなった時は、その容器の注出口を下に、高く持ち上げた時全くその注出口キャップの先端が見えなくなる。本考案はそれを改善し、誰が使用しても安心、安全に内容物の漏洩を未然に防ぐ画期的考案である。
【図面の簡単な説明】
【０００６】
【図１】本考案のＵ字切込型注出口キャップ付紙パック容器の実施例を示す正面図である。
【図２】本Ｕ字切込型注出口キャップ付紙パック容器の上部正面図
【考案を実施するための形態】
【０００７】本考案を実施するに当たり、まず従来型の注出口キャップ付紙パック容器の注出口キャップの上部にある突起した２０ｍｍほどの紙パックの板部に中心部より右左へ横１５ｍｍ、縦１０ｍｍほどの凹字切れ込みを入れる（キャップ径２５ｍｍの場合）。これにより内容物を他の容器に移すとき、注出口キャップの先端が見えるようになる。
【実施例】
【０００８】以下、添付図面に沿って実施例を説明する。１は注出口キャップ付紙パック容器本体  ２は注出口キャップ  ３は凹字切れ込みを入れて、注出口キャップの先端が後方から見えるものとする。
【符号の説明】
【０００９】１．紙パック容器本体
２．注出口キャップ
３．Ｕ字切込型紙パック
【図１】
0003170168.tif 000003
【図２】
0003170168.tif 000004
【手続補正書】
【提出日】平成23年6月21日(2011.6.21)
【手続補正１】
【補正対象書類名】明細書
【補正対象項目名】０００４
【補正方法】変更
【補正の内容】
【０００４】注出口キャップ付紙パック容器は一般に広く販売されている。しかしこの容器は内容物を他の容器に移すとき、注出口キャップ先端が見えず内容物が漏洩し、大変不便である。従って、その注出口キャップの上部にＵ字型切り込みを入れることにより注出口キャップ先端を見やすくし、内容物の漏洩を防止し、安心して他の容器に移すことができるＵ字切込型注出口キャップ付紙パック容器を考案した。
【手続補正２】
【補正対象書類名】実用新案登録請求の範囲
【補正対象項目名】請求項１
【補正方法】変更
【補正の内容】
【請求項１】
注出口キャップ上部にある突起した容器本体の紙パックの平面板にｕ字型切り込みを入れることにより、注出口キャップの先端を見やすくし、漏洩を防止し、安心して内容物を他の容器に移すことができる考案品である。
(57)【要約】      （修正有）【課題】束ねた線香などの先端に瞬時に着火することができる器具を提供する。【解決手段】容器の底部に吸水性に勝れた物を敷き、そこに発火性の高い液を染み込ませる。容器の中に着火物を入れ先端を液の染み込んだ物に押し当て取り出し浸した部分にマッチなどで点火する。。【選択図】図１
0003170162.tif 000002
【実用新案登録請求の範囲】
【考案の詳細な説明】
【考案の開示】
【考案が解決しょうとする課題】
【０００１】墓参りなどで束ねた線香の先端に着火することは時間を要した。
【課題を解決するための手段】
【０００２】容器の底部に吸水性に勝れた物を敷き、そこに発火性の高い液を染み込ませる。容器の中に着火物を入れ先端を液の染み込んだ物に押し当て取り出し浸した部分にマッチなどで点火する。
【考案の効果】
【０００３】束ねた線香などの先端に瞬時に着火することができる。
【図面の簡単な説明】
【０００４】【図１】考案物の断面図。
【符号の説明】
【０００５】１  容器。望ましくはワンタッチ開閉のフタ付き。円筒底広のようにするのもよい。２．吸水性の勝れた（例．メラミンスポンジ）物に、発火性の高い（例  燃料用アルコール）液を染み込ませた物。
【図１】
0003170162.tif 000003
【手続補正書】
【提出日】平成23年6月16日(2011.6.16)
【手続補正１】
【補正対象書類名】実用新案登録請求の範囲
【補正対象項目名】全文
【補正方法】変更
【補正の内容】
【実用新案登録請求の範囲】
【請求項１】
・容器の底部にメラミンスポンジのような吸水性に勝れたものを敷き、そこに燃料用アルコールなど引火性の高い液体を染み込ませたことを特長とする容器。
(57)【要約】      （修正有）【課題】子供でも容易に使用でき、嵩張らずに持ち運びできる携帯用排尿袋を提供する。【解決手段】チャック付き排尿袋体の左右側面に摘片を固着する。【選択図】図４
0003170194.tif 000002
【実用新案登録請求の範囲】
【請求項１】
チャック付き排尿袋体の左右側面に摘片を固着した排尿袋。
【考案の詳細な説明】
【技術分野】
【０００１】  本考案は携帯用使い捨て排尿袋に関する。
【技術背景】
【０００２】  実開昭５７−１２６２２８号公報
実用新案登録第３０１０８１５号公報
実開平６−２９６７８０号公報
【考案が解決しようとする課題】
【０００３】  特に子供と外出時、また自動車の移動中に尿意を催した時、手提げ袋の片隅にでも収納出来る携帯用簡易排尿具があれば便利である。
【問題を解決するための手段】
【０００４】  上記実情に鑑み、この種の排尿具を携帯容易で排尿後の後始末が簡単な排尿袋体に考案したことである。即ち、本考案の排尿袋体はポリエチレン素材で形成され、そしてその内部にはシート状の吸水剤が挿入してある。また、開口部はチャックで開閉するように形成し、更に袋体の左右の両側面には紙片で形成した摘片が固着してある。
従って、この考案は袋体とシート状吸水剤及び摘片から構成されているのでコンパクトに収納出来るため持ち運びが便利である。
【０００５】  本考案の排尿袋体の構成を詳細に説明すれば、袋体の開口部に沿ってチャック形成され、該ジッパーの直ぐ下部に、すなわち、開口部チャックの長さ方向の中心部に紙片等で形成した摘片が袋体の両側面に固着してある。また摘片には更に輪ゴムをホチキスで留めておくとなお良い。
【考案の効果】
【０００６】  以上、前述した通り、本考案は尿意を催した時、手提げ袋から排尿袋を取り出し、袋口のチャックを開くか摘片を左右に引っ張ると排尿袋の開口部は簡単に開口するので、子供でも容易に排尿出来るのである。また、摘片の輪ゴムに手を絡ませ摘片を握れば袋体の落下の防止になる。
【産業上の利用可能性】
【０００７】  以上要するに本考案は袋体とシート状の吸水剤と袋体の左右に付けた摘片から構成した極めて簡素化したもので、嵩張らずどこにでも収納して持ち運ぶことが出来、極めて便利で安価に提供出来る為経済的である。
【図面の簡単な説明】
【０００８】
【図１】排尿袋体
【図２】長方形の紙片を折目に沿って折線加工した摘片
【図３】第２図の摘片に輪ゴムを付けた状態
【図４】排尿袋体を手で開口した状態
【符号の説明】
【０００９】１は袋体開口部のチャック
２は吸水剤
３は紙片を折目加工した状態
４は摘片にホチキスで留めた輪ゴム
５は手で袋体の摘片を開いた状態
【図１】
0003170194.tif 000003
【図２】
0003170194.tif 000004
【図３】
0003170194.tif 000005
【図４】
0003170194.tif 000006
(57)【要約】      （修正有）【課題】飲み終わった後折りたたむことにより、ポケット等への収納を容易にする折りたたみ式水筒を提供する。【解決手段】可撓性シート材により周縁が液密にシールされた液体貯留部を有する水筒本体と、この貯留部から液体を抽出若しくは注入するポート部とこのポート部に口栓等を備えた折りたたみ式水筒において、液密にシールされた前記ポート部側の水筒本体隅部に環状のフック部材を備えた事を特徴とする。本折りたたみ式水筒は、水筒本体内に液体が入っている時は、環状のフック部材によりリックサック、鞄、身体装身具等に懸垂して持ち歩く事が出来る。水筒本体内の液体が空の状態では、水筒本体を折りたたみ、折りたたんだ状態で環状フック部材の穴に挿通し、保持する事が可能であるから、きわめてコンパクトになり、そのままポケット等に収納できる。【選択図】図１
0003170193.tif 000002
【実用新案登録請求の範囲】
【請求項１】
可撓性シート材により周縁が液密にシールされた液体貯留部を有する水筒本体と環状フック部材を有し折りたたんで収納する事を特徴とする折りたたみ式水筒。
【考案の詳細な説明】
【技術分野】
【０００１】この考案は、折りたたみ可能な携帯水筒に関する。
【背景技術】
【０００２】従来水等の飲料に用いる水筒の形状は、中の液体が無くなった後、折りたたむことが可能な水筒はある。
【先行技術文献】
【特許文献】
【０００３】
【特許文献１】実登３０３０９０２号
【考案の概要】
【考案が解決しようとする課題】
【０００４】しかしながら、以上の技術によれば、飲み終わった後に折りたたむ事によりプラスティックの性格上元の形状に戻る為ポケット等への収納が困難であった。
そこでこの考案は、飲み終わった後折りたたむことにより、ポケット等への収納を容易にすることを課題とする。
【課題を解決するための手段】
【０００５】以上の課題を解決するために、可撓性シート材により周縁が液密にシールされた液体貯留部を有する水筒本体と、この貯留部から液体を抽出若しくは注入するポート部とこのポート部に口栓等を備えた折りたたみ式水筒において、液密にシールされた前記ポート部側の水筒本体隅部に環状のフック部材を備えた事を特徴とする折りたたみ式水筒。
【考案の効果】
【０００６】本考案の折りたたみ式水筒は、水筒本体内に液体が入っている時は、環状のフック部材によりリックサック、鞄、身体装身具等に懸垂して持ち歩く事が出来る。水筒本体内の液体が空の状態では、水筒本体を折りたたみ、折りたたんだ状態で環状フック部材の穴に挿通し、保持する事が可能であるから、きわめてコンパクトになり、そのままポケット等に収納できる。
【図面の簡単な説明】
【０００７】
【図１】この考案に掛かる折りたたみ式水筒の断面図である。
【図２】この考案の折りたたんだ側面図である。
【考案を実施するための形態】
【０００８】図１〜図２を参照して本考案に係る折りたたみ式水筒を説明する。
【０００９】１はナイロンやポリエステル等の熱可撓性樹脂フィルムからなる折りたたみ可能な可撓性シート材であるが、可撓性が有れば特に材質は問わないあるいは、これらの内２種類以上からなる熱可撓性シートをラミネートした物であってもかまわない。
【００１０】２は水筒本体で、２枚の可撓性シート材の周縁が液密にシールされ、内部に液体等の貯留部を形成する。
【００１１】液密にシールする手段は、例えば２枚のシートの周縁部を熱溶着する方法、接着剤でシールする方法等が考えられるが、使用する可撓性シート材の材質により適時選択される。
【００１２】水筒本体内に貯留される液体等は、水だけでなくゼリー状の内容物で有ってもよい。
【００１３】水筒本体内の上部に形成されたポート部で、水筒本体内に貯留部に連通し、水筒内から液体を注出若しくは、水筒内に注入される通路となる。
【００１４】口栓３は、上記ポート部に液密に挿入され、上部にねじが形成され口径部と口径部に勘合するキャップとで構成されている。口栓は上記の物だけではなくワンタッチ式の物も使用される。
【００１５】環状のフック部材５は前記水筒本体隅部に係止されている。この環状のフック部材はリング状で有って、例えば、環状のフック部材の一端が分割されていて、係合される構造の物が好ましい。市販されているカナビナフックが好ましい。
【００１６】水筒本体隅部は液密にシールされた領域で有って、この領域に穴をあけ、この環状フックが挿通される。
【００１７】上記環状フック部材５の内側の大きさは、水筒本体の底から折りたたんだり或いは寿司巻き状に丸めた時に、環状フック部材に挿通され保持可能な大きさで有ればよい。
【００１８】この様に、水筒本体内の水等が空になった時、水筒本体を折りたたみ、もしくは丸められた水筒本体２の一端を環状のフック部材５内に挿通し、保持できるのでコンパクトになりポケット等に容易に収納する事が出来る。
【００１９】水筒本体に水等を充てんした時は環状フック材により装身具に懸垂して持ち歩く事が出来るので便利である。
【符号の説明】
【００２０】１  可撓性密封体
２  水筒本体
３  ポート部
４  口栓
５  環状フック
【図１】
0003170193.tif 000003
【図２】
0003170193.tif 000004
(57)【要約】      （修正有）【課題】浴槽に浮かべるだけで簡単に使用できる吸着剤を使用した浴槽用浄化器を提供する。【解決手段】上半球２と下半球３からなる球体で、上半球は、内部に空気を閉じ込めた密閉空間を有し、下半球の表面に複数の穴６と螺旋面の羽３１を設け、下半球に網で包んだ吸着剤を収容し、浄化器を風呂に浮かべた状態で、風呂のお湯の対流で、上半球２と下半球３が回転し、風呂のお湯が穴６を通過して吸着剤に触れ、お湯の不純物を吸着して浄化することを特徴とする吸着剤を使用した浴槽用浄化器。【選択図】図１
0003170195.tif 000002
【実用新案登録請求の範囲】
【請求項１】
上半球２と下半球３からなる球体で、上半球２は、内部に空気を閉じ込めた密閉空間２１を有し、下半球３の表面に複数の穴６と螺旋面の羽３１を設け、下半球３に網で包んだ吸着剤を収容し、浄化器を風呂に浮かべた状態で、風呂のお湯の対流７１で、上半球２と下半球３が回転し、風呂のお湯が穴６を通過して吸着剤に触れ、お湯の不純物を吸着して浄化することを特徴とする吸着剤を使用した浴槽用浄化器。
【請求項２】
前記、吸着剤はゼオライトであることを特徴とする請求項１記載の浴槽用浄化器。
【考案の詳細な説明】
【技術分野】
【０００１】本考案は、浴槽に浮かべるだけで簡単に使用できるゼオライトなどの吸着剤を使用した浴槽用浄化器に関する。
【背景技術】
【０００２】家庭用又は公衆用の浴槽では、浴槽水が口の中に入ってしまう危険性が高いため、適切な衛生管理が求められている。浴槽水を浄化する装置などは設置や装置そのものが高価な物が多い。
【先行技術文献】
【特許文献】
【０００３】
【特許文献１】実開平７−２７６９１
【考案の概要】
【考案が解決しようとする課題】
【０００４】家庭用では、浴槽水を循環させるためのポンプと、微細なごみ及び汚れなど不純物を浴槽水からろ過するろ過筒とを備えた浴槽水浄化装置が用いられているが、家庭の浴槽を手軽に使用できる浄化器が求められており、次のような課題がある。
１）従来の家庭の浴槽水に関しては、水道水をそのまま利用している。前記の装置を設置している家庭でも、浄化器内部のフィルターなどのろ過器の交換時期などが判りにくくなっている。
２）水の硬度が高く、不純物が吸着し肌の健康管理や皮膚炎の可能性がある。
３）浄化装置を浴槽に設置するのに、工事が必要で、維持費が高い。
【課題を解決するための手段】
【０００５】上半球２と下半球３からなる球体で、上半球２は、内部に空気を閉じ込めた密閉空間２１を有し、下半球３の表面に複数の穴６と螺旋面の羽３１を設け、下半球３に網で包んだ吸着剤を収容し、浄化器を風呂に浮かべた状態で、風呂のお湯の対流７１で、上半球２と下半球３が回転し、風呂のお湯が穴６を通過して吸着剤に触れ、お湯の不純物を吸着して浄化することを特徴とする吸着剤を使用した浴槽用浄化器。【０００６】前記、吸着剤はゼオライトであることを特徴とする浴槽用浄化器。
【考案の効果】
【０００７】１）設置するだけで浴槽水を浄化して、不純物を吸着し肌の健康管理や皮膚炎の予防の効果を高めることが出来る。
２）螺旋面の羽を容器に設置しているので、浴槽用浄化器がよく回転し不純物をより吸着することが出来る。
【図面の簡単な説明】
【０００８】
【図１】本考案の浴槽用浄化器の構成（斜視図）
【図２】本考案の浴槽用浄化器の構成（断面図）
【図３】本考案の浴槽用浄化器の使用例
【考案を実施するための形態】
【０００９】  図１は、本考案の浴槽用浄化器の構成を示す。
本考案の浴槽用浄化器は上半球２と下半球３からなる。上半球２は、内部に空気を閉じ込めた密閉空間２１を有する。下半球の表面に複数の穴６と螺旋面の羽３１を設ける。
下半球に網で包んだ吸着剤を収容する。吸着剤として、活性炭、シリカゲル、アルミナ、ゼオライト、樹脂などがある。特に、ゼオライトが有効である。本考案の浄化器を風呂に浮かべた状態で、風呂のお湯の流れが、穴を通過して吸着剤に触れ、お湯の不純物を吸着して浄化できる。
【００１０】図２は、本考案の吸着剤を使用した浴槽用浄化器の構成の断面図である。
上半球２の密閉空間２１には空気が入って浴槽用浄化器を浮遊できるようにしている。
下半球３には、吸着剤を網に包んで収容している。
下半球３の表面には、表面に沿って例えば３つの羽からなる螺旋面の羽３１を備えている。
この螺旋面の羽３１を設けることで、お湯の対流７１により浴槽用浄化器１が回転し不純物を浄化しやすくしている。
【００１１】本考案の浴槽用浄化器は上半球２と下半球３は、一体にしてもよいし、分離できるようにしてもよい。分離する場合は、ネジ方式や勘合方式などで結合する。
【００１２】図３は、本考案の吸着剤を使用した浴槽用浄化器の使用例である。
浴槽に浮かべて使用し、浴槽内の対流７１で水が上昇し、浄化器１が回転し、お湯が浄化器の下半球３の穴６を通って吸着剤に接触し不純物が吸着されやすくなる。
【産業上の利用可能性】
【００１３】家庭用の浴槽浄化器として利用できる。
【符号の説明】
【００１４】１  浴槽用浄化器
２  上半球
２１  密封空間
３  下半球
３１  螺旋面の羽
４  網
５  吸着剤
６  穴
７  浴槽水
７１  対流
８  浴槽
【図１】
0003170195.tif 000003
【図２】
0003170195.tif 000004
【図３】
0003170195.tif 000005
(57)【要約】      （修正有）【課題】正確かつ安全に湯を注ぐことができる湯たんぽを提供する。【解決手段】本体の湯の注ぎ口に伸縮性ジャバラを取り付けてジャバラと湯たんぽの接続部分の湯たんぽ側を透明にする。【選択図】図１
0003170179.tif 000002
【実用新案登録請求の範囲】
【請求項１】
本体の湯の注ぎ口に伸縮性ジャバラを取り付けてジャバラの付け根部分を透明にした事を特徴とする伸縮性ジャバラ付湯たんぽ。
【考案の詳細な説明】
【技術分野】
【０００１】
本考案は伸縮性ジャバラ付湯たんぽであり、特に湯を注ぐ時ジャバラの伸縮性を活かし、正確かつ安全に注ぐことができ、伸縮性のジャバラの根本回りを透明にする事によって湯量を見極められるように工夫した伸縮性ジャバラ付湯たんぽに関するものである。
【背景技術】
【０００２】
従来の湯たんぽについては、湯を注ぐだけで正確かつ安全に湯を注ぐことができないばかりか湯量がどの位まで入れたかということについて確認の配慮がなされた湯たんぽは存在していなかった。
【先行技術文献】
【特許文献】
【０００３】
【特許文献１】特開２００３−２４３６３号公報
【考案の概要】
【考案が解決しようとする課題】
【０００４】
上述した不都合に対し本考案は、伸縮性のジャバラの付け根を透明にすることによって、湯量を見極める手段を備え、かつ伸縮性のジャバラを設け、安全かつ正確に湯を注ぐことのできることを提供することを目的とする。
【課題を解決するための手段】
【０００５】
本体の湯の注ぎ口にジャバラを取り付けてジャバラの付け根を透明にした事を特徴とする伸縮性ジャバラ付湯たんぽである。
【考案の効果】
【０００６】
本考案は、伸縮性ジャバラを設けることによって、正確かつ安全に湯を注ぎ、又ジャバラの付け根を透明にする事によって、湯量を見極めて、湯をあふれさせることのないようにできる。
【図面の簡単な説明】
【０００７】
【図１】本考案のジャバラ付湯たんぽを示す図
【考案を実施するための形態】
【０００８】
湯たんぽの本体１に伸縮性のジャバラ２を取り付け、湯を注ぐときには、ジャバラを伸ばし、湯を注ぎやすくするとともに、湯を注ぎ終えた際にはジャバラを縮めてじゃまにならようにする。また、湯を注ぐ際に、湯量を見極める事ができるように、その伸縮性のジャバラ２の付け根部分３を透明にしている。
【符号の説明】
【０００９】
１  本体
２  伸縮性ジャバラ
３  付け根部分
【図１】
0003170179.tif 000003
【手続補正書】
【提出日】平成23年7月6日(2011.7.6)
【手続補正１】
【補正対象書類名】実用新案登録請求の範囲
【補正対象項目名】全文
【補正方法】変更
【補正の内容】
【実用新案登録請求の範囲】
【請求項１】
本体の湯の注ぎ口に伸縮性ジャバラを取り付けてジャバラと湯たんぽの接続部分の湯たんぽ側を透明にした事を特長とする伸縮性ジャバラ付湯たんぽ。